(57)【特許請求の範囲】
【請求項１】
検証情報を有した券札において、前記検証情報は、前記券札の対辺又は隣辺の縁部に、前記検証情報を分割して形成されると共に、前記対辺又は前記隣辺縁部同士を付き合わせることで、前記検証情報を認識可能としたことを特徴とする検証情報付き券札。
【請求項２】
前記検証情報は、前記縁部に分割形成された文字やマークの図柄、２次元コード、ホログラムまたは前記券札の端部自体の形状のいずれかであることを特徴とする請求項１又は請求項２に記載の検証情報付き券札。
【発明の詳細な説明】
【０００１】
【発明の属する技術分野】
本発明は、検証情報付き券札に係り、特に検証情報部分をユーザーに意識させること無く、認識困難に形成した検証情報付き券札に関する。
【０００２】
【従来の技術】
テレホンカード、クレジットカードやプリベイトカード等のカード類の普及と、定期券や各種チケットの磁気カード化等により、従来、有価証券、身分証明書等で問題となっていた証券類の偽造防止対策が要望されている。特に近年、複写技術が高まるとともに、これがチケットや入場券等の券札の偽造にしばしば悪用されるようになってきた。
【０００３】
【発明が解決しようとする課題】
従来は、これら偽造を防止するために券札に埋め込まれた磁気情報や、特殊インキ、蛍光物質による隠し文字、更には透かし模様等の特殊印刷が試みられてきたが、大量に製造される券札に関しては製造工程の複雑化に伴うコストアップを避けることが困難であった。また、券札の外観から、検証情報が形成されていることが認識容易であったために偽造を確実に防止することが困難であった。また、当事者による検証情報の認識を容易とするために、印字面（表面）全体に検証情報として図柄をグラデーション状に形成する場合や、スキー場の入場券等において、券札の色や図柄（四角、三角、丸などの形状）により発効日や券札の種類（一日券、半日券、時間制限付き券など）を判別する場合があったが、これら従来の券札では、いずれもデザインに影響が生じる問題があった。
【０００４】
本発明は、安価であり、容易に検証情報を形成することが可能である一方、当事者以外の者（ユーザー等）には検証情報部分を意識させない、又は検証情報として気づかせない検証情報付き券札を得ることを目的とする。
【０００５】
請求項１に記載の発明は、検証情報を有した券札において、前記検証情報は、前記券札の対辺又は隣辺の縁部に、前記検証情報を分割して形成されると共に、前記対辺又は前記隣辺縁部同士を付き合わせることで、前記検証情報を認識可能としたことを特徴とする。
【０００６】
請求項２に記載の発明は、検証情報を有した券札において、前記検証情報は、前記券札の対辺又は隣辺の縁部に、前記検証情報として認識できない態様に分割して形成されると共に、前記対辺又は前記隣辺縁部同士を付き合わせることで、前記検証情報を認識可能としたことを特徴とする。
【０００９】
これら発明によれば、検証情報として図柄や縁部の形状を用いたことから安価で容易に検証情報を形成することが可能であり、対辺又は隣辺の縁部に、検証情報として認識できない態様に分割して形成したことから、券札の表面のデザインに影響を与えることなく、また、ユーザーには検証情報として意識させること無く形成したことで、検証情報としての認識が困難である検証情報付き券札を得ることができる。
【００１０】
【発明の実施の形態】
以下、添付図面に従って本発明に係る検証情報付き券札の好ましい実施形態について詳説する。
【００１１】
図１は、本発明の第一の実施形態に係る、検証情報を券札の縁部に印字した図柄として形成した検証情報付き券札を示すチケット１０の斜視図である。
【００１２】
図１に示すようにチケット１０は、中央部に任意の所定情報が印字されており、例として「チケット」の文字印刷１３が施されている。また検証情報としての図柄１５ａ，１５ｂがチケット１０の印字面に印字されている。この図柄１５ａ，１５ｂは図１に示すように任意の分割位置で分割され、チケット１０の左右両辺の縁に前記分割位置で接して配置されている。また、この図柄１５ａ，１５ｂは、チケット１０の長手方向に対して幅を小さく印字されている。また更に、別の検証情報として図柄１６ａ，１６ｂがチケット１０の印字面に印字されている。この図柄１６ａ，１６ｂは図１に示すように任意の分割位置で分割され、チケット１０の天地両辺の縁に前記分割位置で接して配置され、チケット１０の幅方向に対して小さく印字されている。
【００１３】
上記の如く構成されたチケット１０の作用について以下に説明する。
【００１４】
図１においてチケット１０は、それのみでは判読困難な図柄１５ａ，１５ｂを有している。ここで、図２に示すようにチケット１０を、印字面を表側に曲げて図柄１５ａ，１５ｂが施された対辺の縁部同士を夫々付き合わせると、分割された図柄１５ａ，１５ｂは図柄１５（「検証情報」）として認識可能となる。即ち、判読困難に分割配置された図柄１５ａと図柄１５ｂを付き合わせることで、図柄１５としての認識が初めて可能となる。また、図３にはチケット１０を、印字面を表側に曲げて図柄１５ｂと１６ｂの燐辺の縁部同士を夫々付き合わせた例を示す。この場合も図柄１５ｂと１６ｂは図柄１７（「検証情報」）として認識が可能となる。
【００１５】
これら図柄を付き合わせることで図柄のずれや印字ずれの検証を行い、ずれの有無により真偽判定を行うことが可能である。
【００１６】
上述したチケット１０により、検証情報としての図柄を印字したことから安価で容易に形成することが可能である。また、検証情報を対辺又は隣辺の縁部に小さく形成して、検証情報として認識できない態様に分割して形成したことから、券札の表面のデザインに影響を与えることなく、当事者以外の者には検証情報として意識させず、従って認識が困難である一方、当事者のみが検証情報を認識することができる。
【００１７】
図４には、本発明の第二の実施形態に係るチケット２０の斜視図を示す。このチケット２０においては、検証情報としての図柄１８ａ，１８ｂを印字面（表面）と印字反対面（裏面）の双方に印字した例を示す。この図柄１８ａ，１８ｂは任意の分割位置で分割され、印字面と印字反対面の双方に、夫々対向する辺の縁に前記分割位置で接して配置されている。また、この図柄１８ａ，１８ｂは、チケット２０の長手方向に対して小さく印字されている。このチケット２０の検証情報を検証する際には、このチケット２０を幅方向にねじって曲げ、印字面に配置された図柄１８ａと印字反対面に配置された図柄１８ｂの対辺の縁部同士を付き合わせることで、図柄１８（「検証情報」）として認識することができる。従って、上述したチケット１０と同様に安価で容易に製造可能で、券札のデザインに影響を与えることなく、検証情報を縁部に小さく形成して、検証情報として認識できない態様に分割して形成したことから、当事者以外の者には検証情報として意識させず、従って認識が困難である一方、当事者のみが検証情報を認識することができるチケット２０を得ることができる。
【００１８】
次に、図５には本発明の第三の実施形態に係る、検証情報を券札の縁部自体の形状として形成した検証情報付き券札を示す入場券３０の斜視図である。
【００１９】
図５において、この入場券３０は、縁部の形状を検証情報としての波形３１により形成したものである。この入場券３０においては、中央部に任意の所定情報例として「入場券」の文字印刷３３が施されている。図５に示すようにこの波形３１は入場券３０の少なくとも一辺に形成されている。また、波形３１は、山部３１ａと谷部３１ｂとで交互に構成され、縁部自体の形状として形成されると共に、この山部３１ａと谷部３１ｂの高さ（稜線から谷底線への長さＬ）は入場券３０の辺の長さと比較して微小に小さく形成されている。また、山部３１ａと谷部３１ｂの形状は夫々同一ではなく、山部３１ａの稜線と谷部３１ｂの谷線は夫々異なるように形成されている。また、入場券３０の大きさに関わらず山部３１ａ及び谷部３１ｂは所定の個数で形成され、図５に示した入場券３０においては例として８個で形成している。
【００２０】
上記の如く構成された入場券３０の作用について以下に説明する。
【００２１】
図５において、入場券３０に形成された波形３１は、山部３１ａと谷部３１ｂの高さＬが入場券３０の辺の長さと比較して微小に小さく形成されていることで、当事者以外の者には波形３１は、入場券３０における意匠としか判断できない。
【００２２】
上述した入場券３０により、検証情報として券札の縁部形状を用いたことから安価で容易に製造することが可能であり、また、検証情報を、検証情報として認識できない態様に縁部に小さく形成したことから、券札の表面のデザインに影響を与えることなく、当事者以外の者には検証情報として意識させず、従って認識が困難である一方、当事者のみが検証情報を認識することができる。
【００２３】
ここで、前述した入場券３０においては、複数の入場券３０を束ね、波形３１が形成された端辺の形状を見れば、複数の入場券３０の中から偽造された券札を早期発見することが可能である。
【００２４】
次に、図６には本発明の第四の実施形態に係る入場券４０の斜視図を示す。前述した入場券３０においては、検証情報として券札の縁部形状を波形３１を用いて形成したが、これに限ることなく入場券４０の文字情報４１のように、検証情報としての文字や数字を、その形状で切り欠いて縁部に形成してもよい。この文字情報４１は、例として数字「１２３４」の形状を任意の分割位置で分割し、図６に示すように入場券４０の夫々対向する辺の縁に前記分割位置で当接して、一方を欠切部４１ａ、他方を欠切部４１ｂとして形成されている。この入場券４０も、印字面を表側に曲げて欠切部４１ａ，４１ｂが施された対辺の縁部同士を夫々付き合わせることで、文字情報４１が「１２３４」として認識可能となる。
【００２５】
このように、上述した検証情報が施されたチケット１０，２０や入場券３０，４０によれば、検証情報として図柄や縁部形状を用いたことから安価で容易に製造することが可能であり、検証情報が小さく縁部に形成されているため、当事者以外の者には検証情報の認識が困難である一方、当事者のみが検証情報を認識可能である。また、これら検証情報はチケット１０，２０や入場券３０，４０の縁部に小さく形成されたことで、中央に印字された任意の所定情報である文字印刷１３，３３に検証情報が重なることも無く、従って文字印刷１３，３３の判読に支障をきたす事も無い。
【００２６】
尚、本発明は前記実施の形態に限定されるものではなく、チケット１０，２０や入場券３０，４０においては、フィルムや合成紙等から成るものが考えられるが、これに囚われず金属やプラスチック等で構成した可撓性を有しないものを用いても良い。
【００２７】
また、入場券３０，４０においては、波形３１や文字情報４１に対向して形成した基準となる型を別途用いると共に、波形３１や文字情報４１にこの型を当接することで、波形３１や文字情報４１と型に形成された波形や文字情報の形成ずれから検証が容易に可能である。また、文字情報４１は入場券４０の対辺又は隣辺に分割形成して、対辺又は隣辺縁部同士を付き合わせて検証を行ってもよい。
【００２８】
尚、第一ないしは第四の実施の形態に係る検証情報としての図柄は、印字や波形、文字形状で説明したが、紙面に突起した点を一定方式に組み合せた視覚障害者用の点字や、情報記録媒体のデジタル情報記録方式に基づいて、２次元コードのような暗号コードを分割して配置しても良い。ここで２次元コードとは、従来のバーコードと比較して情報量を格段に増加させたもので、従来のバーコードを縦に積み上げた形のスタック型と、基盤の上に明暗のドットを形成したマトリクス型等がある。
【００２９】
更に、常温では無色を呈し、体温付近では青色を呈するインキから成る変色層と、変色層上に設けられ、表面に凹凸から形成され転写箔状に作製されたホログラム形成層と、ホログラム形成層上に設けられた保護層とで主要部が構成されたホログラム構成層に対して、白色光を照射することでホログラムパターンが肉眼で確認され、かつこれを暖めると変色層が青色に変化するホログラムパターンと変色層の色変化が生じる加工を検証情報として配置しても良い。この場合は、例えば前記加工が施された対辺又は隣辺縁部同士を付き合わせた後、前記ホログラムパターンと変色層の色変化を、対辺又は隣辺縁部同士で検証することで偽造を見抜くことが可能である。
【００３０】
以上説明したように、本発明に係る検証情報付き券札は、検証情報として図柄や縁部形状を用いたことから安価で容易に製造することが可能であり、小さく縁部に形成することで券札の表面のデザインに影響を与えることなく、一見して当事者以外の者には検証情報の認識が困難である一方、当事者のみが検証情報を認識可能であるように形成した検証情報付き券札を得ることができる。
【図面の簡単な説明】
【図１】本発明の、第一の実施形態に係る検証情報付き券札を示す斜視図
【図２】本発明の、第一の実施形態に係る検証情報付き券札の作用を示す斜視図
【図３】本発明の、第一の実施形態に係る検証情報付き券札の別の作用を示す斜視図
【図４】本発明の、第二の実施形態に係る検証情報付き券札の作用を示す斜視図
【図５】本発明の、第三の実施形態に係る検証情報付き券札を示す斜視図
【図６】本発明の、第四の実施形態に係る検証情報付き券札の作用を示す斜視図
【符号の説明】
１０，２０…チケット（券札）、３０，４０…入場券（券札）、１５〜１８，…図柄（検証情報）３１ａ…山部、３１ｂ…谷部、３１…波形（検証情報）、４１ａ，４１ｂ…欠切部、４１…文字情報（検証情報）
【図１】
0003916922.tif 000002
【図２】
0003916922.tif 000003
【図３】
0003916922.tif 000004
【図４】
0003916922.tif 000005
【図５】
0003916922.tif 000006
【図６】
0003916922.tif 000007